(57)【要約】【課題】  ビデオカメラで動作撮影する際、ワイド寄りで映像を取りつつ、その中の任意の被写体が発生する音声を、撮影画像に影響を与えずに明瞭に収録する。【解決手段】  １．映像、音声を記録するビデオカメラにおいて、撮影レンズの光軸に対して、所定の条件で集音マイクの指向性軸の角度が可変となっていることを特徴とするビデオカメラ。２．ビデオカメラの液晶パネル上にマイクアイコン表示があり、操作者がそのアイコンを動かすと、そのアイコンと重なっている被写体位置の方向にマイクの指向性が向くようにマイクの角度が調整されるビデオカメラ。３．映像、音声に加え前記のマイクの角度または画像内の位置の情報も記録されるビデオカメラ。【選択図】        図１
2005159731.tif 000002
【特許請求の範囲】
【請求項１】
被写体を撮像する撮像手段と、音声を集音するマイクロフォン手段と、撮像された動画像または静止画像データおよび集音された音声データを記録する記録媒体を有する撮像装置において、前記マイクロフォン手段の指向性の範囲角は前記撮像手段の撮影画角より狭く、かつ、前記撮像手段の光軸に対する前記集音の軸の角度が所定の条件に応じて変化する事を特徴とする撮像装置。
【請求項２】
請求項１記載の撮像装置であって、前記撮像しようとする映像を表示する表示手段と、前記表示手段の内に表示される、操作者によって位置が任意に設定できる指標を有し、前記集音の軸が、前記表示手段に表示される被写体のうち、前記指標が表示されている方向に向く事を特徴とする撮像装置。
【請求項３】
請求項１または２記載の撮像装置であって、前記撮像手段の光軸に対する前記集音の軸の角度の情報が前記記録媒体に記録される事を特徴とする撮像装置。
【請求項４】
請求項２または３記載の撮像装置であって、前記指標の画面中の位置情報が前記記録媒体に記録される事を特徴とする撮像装置。
【請求項５】
請求項４記載の撮像装置であって、前記記録媒体の再生を行う際に、前記位置情報を元に前記指標の表示を行う事を特徴とする撮像装置。
【請求項６】
被写体を撮像する撮像手段と、音声を集音するマイクロフォン手段と、撮像された動画像または静止画像データおよび集音された音声データを記録する記録媒体を有する撮像装置において、前記マイクロフォン手段はお互いに所定角度ずつ前記集音の軸をずらした複数の狭指向性マイクロフォンの集合からなっており、記録対象のマイクロフォンを選択する事により、前記撮像手段の光軸に対する前記集音の軸の角度が所定の条件に応じて変化する事を特徴とする撮像装置。
【請求項７】
請求項６記載の撮像装置であって、前記撮像しようとする映像を表示する表示手段と、前記表示手段の内に表示される、操作者によって位置が任意に設定できる指標を有し、前記指標が表示されている方向に一致する指向性を持つ前記狭指向性マイクロフォンから集音される音声が記録源として選択される事を特徴とする撮像装置。
【請求項８】
請求項６または７記載の撮像装置であって、前記撮像手段の光軸に対する前記集音の軸の角度の情報が前記記録媒体に記録される事を特徴とする撮像装置。
【請求項９】
請求項７または８記載の撮像装置であって、前記指標の画面中の位置情報が前記記録媒体に記録される事を特徴とする撮像装置。
【請求項１０】
請求項９記載の撮像装置であって、前記記録媒体の再生を行う際に、前記位置情報を元に前記指標の表示を行う事を特徴とする撮像装置。
【発明の詳細な説明】
【技術分野】
【０００１】
本発明は、静止画像や動画像、および音声をフラッシュメモリやテープ、ディスクメディア等の記録媒体に記録する撮像装置に関するものである。
【背景技術】
【０００２】
従来、ビデオカメラに搭載されるマイクロフォンとしては、ズームマイクロフォンがあった（例えば、特許文献１参照。）。これは、カメラのズーム動作に連動してマイクロフォンの指向性の範囲を可変させるもので、テレ側では前記マイクロフォンの指向角を狭く、またワイド側では前記マイクロフォンの指向角を広くする事で、撮影される画像に応じた音声の臨場感を得ようとするものである。
【特許文献１】特開平５−１４９９４号公報
【発明の開示】
【発明が解決しようとする課題】
【０００３】
しかしながら、上記システムでは、カメラをワイド側にしている場合に画面中の特定の被写体が発する音声を鮮明に記録しようとする場合、カメラをテレ側にズーム動作させる事でマイクの指向角を狭くし、さらに該被写体が画面の中心に来るように構図を取り直すしかなかった。すなわち構図を取り直す事なく前記目的を達成するためには、別途外部マイクロフォンを用意し、接続するしかなく、その作業は、該被写体に向けて前記外部マイクロフォンをセッティングする等、煩わしい作業が必要となる。
【０００４】
本発明は以上の点に鑑みてなされた物であり、撮影のズーム位置に関わらず、容易に画面中の特定の被写体が発する音声を鮮明に記録する事が出来る撮像装置を提供する事を第１の目的とする。さらに、前記特定の被写体を容易な操作にて指定する事が出来る撮像装置を提供する事を第２の目的とする。
【課題を解決するための手段】
【０００５】
前記目的を実現するため本発明の第１の発明にかかる撮像装置は、被写体を撮像する撮像手段と、音声を集音するマイクロフォン手段と、前記撮像された動画像または静止画像データおよび前記集音された音声データを記録する記録媒体を有する撮像装置において、前記マイクロフォン手段の指向性の範囲角は前記撮像手段の撮影画角より狭く、かつ、前記撮像手段の光軸に対する前記集音の軸の角度が所定の条件に応じて変化する事を特徴としてなるものである。
【０００６】
また、本発明の第２の発明にかかる撮像装置は、前記第１の発明にかかる撮像装置であって、前記撮像しようとする映像を表示する表示手段と、前記表示手段の内に表示される、操作者によって位置が任意に設定できる指標を有し、前記集音の軸が、前記表示手段に表示される被写体のうち、前記指標が表示されている方向に向く事を特徴としてなるものである。
【０００７】
さらに、本発明の第３の発明にかかる撮像装置は、前記第１または第２の発明にかかる撮像装置であって、前記撮像手段の光軸に対する前記集音の軸の角度の情報が前記記録媒体に記録される事を特徴としてなるものである。
【０００８】
また、本発明の第４の発明にかかる撮像装置は、前記第２または第３の発明にかかる撮像装置であって、前記指標の画面中の位置情報が前記記録媒体に記録される事を特徴としてなるものである。
【０００９】
さらに、本発明の第５の発明にかかる撮像装置は、被写体を撮像する撮像手段と、音声を集音するマイクロフォン手段と、前記撮像された動画像または静止画像データおよび前記集音された音声データを記録する記録媒体を有する撮像装置において、前記マイクロフォン手段はお互いに所定角度ずつ前記集音の軸をずらした複数の狭指向性マイクロフォンの集合からなっており、記録対象のマイクロフォンを選択する事により、前記撮像手段の光軸に対する前記集音の軸の角度が所定の条件に応じて変化する事を特徴としてなるものである。
【００１０】
また、本発明の第６の発明にかかる撮像装置は前記第５の発明にかかる撮像装置であって、前記撮像しようとする映像を表示する表示手段と、前記表示手段の内に表示される、操作者によって位置が任意に設定できる指標を有し、前記指標が表示されている方向に一致する指向性を持つ前記狭指向性マイクロフォンから集音される音声がきろくげんとしてせんたくされる事を特徴としてなるものである。
【００１１】
さらに、本発明の第７の発明にかかる撮像装置は、前記第５または第６の発明にかかる撮像装置であって、前記撮像手段の光軸に対する前記集音の軸の角度の情報が前記記録媒体に記録される事を特徴としてなるものである。
【００１２】
また、本発明の第８の発明にかかる撮像装置は、前記第６または第７の発明にかかる撮像装置であって、前記指標の画面中の位置情報が前記記録媒体に記録される事を特徴としてなるものである。
【００１３】
以上、本発明を整理して要約すれば以下の構成に集約できる。
【００１４】
（１）被写体を撮像する撮像手段と、音声を集音するマイクロフォン手段と、撮像された動画像または静止画像データおよび集音された音声データを記録する記録媒体を有する撮像装置において、前記マイクロフォン手段の指向性の範囲角は前記撮像手段の撮影画角より狭く、かつ、前記撮像手段の光軸に対する前記集音の軸の角度が所定の条件に応じて変化する事を特徴とする撮像装置。
【００１５】
（２）前記（１）記載の撮像装置であって、前記撮像しようとする映像を表示する表示手段と、前記表示手段の内に表示される、操作者によって位置が任意に設定できる指標を有し、前記集音の軸が、前記表示手段に表示される被写体のうち、前記指標が表示されている方向に向く事を特徴とする撮像装置。
【００１６】
（３）前記（１）または（２）記載の撮像装置であって、前記撮像手段の光軸に対する前記集音の軸の角度の情報が前記記録媒体に記録される事を特徴とする撮像装置。
【００１７】
（４）前記（２）または（３）記載の撮像装置であって、前記指標の画面中の位置情報が前記記録媒体に記録される事を特徴とする撮像装置。
【００１８】
（５）前記（４）記載の撮像装置であって、前記記録媒体の再生を行う際に、前記位置情報を元に前記指標の表示を行う事を特徴とする撮像装置。
【００１９】
（６）被写体を撮像する撮像手段と、音声を集音するマイクロフォン手段と、撮像された動画像または静止画像データおよび集音された音声データを記録する記録媒体を有する撮像装置において、前記マイクロフォン手段はお互いに所定角度ずつ前記集音の軸をずらした複数の狭指向性マイクロフォンの集合からなっており、記録対象のマイクロフォンを選択する事により、前記撮像手段の光軸に対する前記集音の軸の角度が所定の条件に応じて変化する事を特徴とする撮像装置。
【００２０】
（７）前記（６）記載の撮像装置であって、前記撮像しようとする映像を表示する表示手段と、前記表示手段の内に表示される、操作者によって位置が任意に設定できる指標を有し、前記指標が表示されている方向に一致する指向性を持つ前記狭指向性マイクロフォンから集音される音声が記録源として選択される事を特徴とする撮像装置。
【００２１】
（８）前記（６）または（７）記載の撮像装置であって、前記撮像手段の光軸に対する前記集音の軸の角度の情報が前記記録媒体に記録される事を特徴とする撮像装置。
【００２２】
（９）前記（７）または（８）記載の撮像装置であって、前記指標の画面中の位置情報が前記記録媒体に記録される事を特徴とする撮像装置。
【００２３】
（１０）前記（９）記載の撮像装置であって、前記記録媒体の再生を行う際に、前記位置情報を元に前記指標の表示を行う事を特徴とする撮像装置。
【発明の効果】
【００２４】
本発明によれば、操作者がビデオカメラの液晶パネル上で撮影する被写体を見ながら前記マイクアイコンを操作する事によって、容易に撮影画面上の任意の被写体が発生する音声を明瞭に、しかも撮影画像に影響を与える事なく記録が行える撮像装置を提供する事が出来る。
【発明を実施するための最良の形態】
【００２５】
以下、図面を参照しながら本発明の実施の形態を詳細に説明する。
【実施例１】
【００２６】
本発明をデジタルビデオカメラで応用した第１の実施例について図面を用いて説明する。
【００２７】
図１は本実施例のブロック図である。同図において、１０１は被写体を取り込む撮影レンズ、１０２は後述の撮像素子への光量を制御する絞り、１０３は、取り込んだ被写体を画像信号に変換する撮像素子、１０４は前記画像信号をサンプルホールドし、適正な信号レベルにするＣＤＳ／ＡＧＣ、１０５は、前記ＣＤＳ／ＡＧＣからの画像信号をＡ／Ｄ変換し、デジタル信号処理を行うデジタル信号処理回路、１０６は、デジタル信号処理回路からの生データを１フレーム分ずつ蓄積するフレームメモリ、１０７は、前記フレームメモリの画素を後述のＭＰＥＧ方式での記録が出来るように、画素数を調整する画素数調整回路、１０８は、各ブロック間の画像データおよび後述の音声データが行き来する画像／音声データバス、１０９は、後述のマイクロフォンの向きを可変させるマイク駆動モータ、１１０は、前記画像データと共に後述のリムーバブルディスクに記録される音声を集音し、非常に狭い範囲の集音特性を有する超指向性マイクロフォン、１１１は前記超指向性マイクロフォンからの音声信号を適当なレベルまで増幅する増幅器、１１２は、前記増幅された音声信号をＡ／Ｄ変換するＡ／Ｄコンバータ、１１３は、前記画像バスからのデジタル画像信号を動画としてＭＰＥＧ圧縮すると共に、後述のフラッシュメモリに記録されたＭＰＥＧ圧縮データを伸張するＭＰＥＧコーデック、１１４は前記圧縮された圧縮画像データを記録するリムーバブルディスクである。１１５は、後述の液晶ディスプレイ１１７で表示される物と同一の画像をアナログ化し、ビデオ出力端子１１６に出力するＮＴＳＣエンコーダ、１１７は、再生モード時にはＭＰＥＧコーデック１１３からの再生画像データ、撮影時には前記撮像素子１０３で撮像された映像を表示する液晶ディスプレイ、１１８は、前記液晶ディスプレイと一体となり、該ディスプレイ上で操作者が触れる事により、その触れた位置の座標情報が出力されるタッチパネル、１１９は、前記液晶ディスプレイを駆動する液晶ドライバ、１２１は、後述のメインマイコンからの制御信号や、前記タッチパネル１１８、操作キー１２０からの信号が行き来する制御信号バス、１２２は、機器全体のモードを制御したり、前記タッチパネル１１８、前記操作キー１２０の状態を読んで各種機能の実行を制御するメインマイコンである。
【００２８】
本実施例では、被写体として合唱団を撮影している場面を想定している。
【００２９】
図２は本実施例のシステムを示す図である。同図において、２０３は、前記図１の構成を持つデジタルビデオカメラ、２０４は被写体、２０１は、前記デジタルビデオカメラの撮影範囲、２０２は前記デジタルビデオカメラの前記マイクロフォン１１０による集音範囲、２０５は前記液晶ディスプレイ１１７、前記２０７はその詳細を示す図で、２０８はマイクアイコンである。
【００３０】
また、図３は本実施例のデジタルビデオカメラに内蔵されているマイクを示す図である。３０１は超指向性マイク、３０２は前記超指向性マイクに直接風が当たるのを防ぐウィンドスクリーン、３０３は前記超指向性マイク３０１を前記マイク駆動モータ１０９の動力によって水平方向に向きを変える水平回転軸、３０４は前記超指向性マイク３０１を前記マイク駆動モータ１０９の動力によって垂直方向に向きを変える垂直回転軸である。
【００３１】
上記構成にて、前記デジタルビデオカメラ２０３の電源をＯＮにして撮影モードにすると、前記液晶ディスプレイ１１７には、前記図２の２０７に示すように、撮影しようとする画像に加えマイクアイコン２０８が表示される。操作者が、被写体である合唱団のメンバーの内、特に右下のメンバーの声を聞くために前記液晶ディスプレイ１１７において目的のメンバーの部分に触れると、前記タッチパネル１１８がその座標を検知し、前記メインマイコン１２２によってその位置が演算され、前記マイクアイコン２０８が、操作者が触れた位置に表示される。さらに前記メインマイコン１２２は、前記演算結果に従って前記マイク駆動モータ１０９を制御し、前記超指向性マイク３０１を前記マイクアイコン２０８の位置と一致している方向に向ける。この一連の動作により、操作者は、前記液晶ディスプレイ２０７上で任意の被写体に触れてマイクアイコン２０８の位置を操作する事で、その位置の被写体から発せられる音声を明瞭に動画と共に記録する事が出来る。例えば、図４に示すように、合唱団のメンバーの内、左上のメンバーの位置を触れて前記マイクアイコンを４０３の位置に表示させると、マイクの位置が所定位置に制御され、指向性が４０２に示す状態となり、前記左上のメンバーの声をより明瞭に記録する事が出来る。
【実施例２】
【００３２】
次に、本発明をデジタルビデオカメラで応用した第２の実施例について図面を用いて説明する。
【００３３】
本実施例のブロック図は前記実施例１のブロック図の図１と同様であるが、本実施例では前記マイクロフォンが図５に示すように、前記超指向性マイクロフォンに加え、右チャンネル収録用広指向性マイクロフォン５０１および左チャンネル収録用広指向性マイクロフォン５０２を加え、ステレオ音声を記録する構成となっている。
【００３４】
この場合のシステム例を図６に示す。６０１は、前記撮像の方向に対して右半分を中心とする方向からの音を集音する右チャンネルマイクロフォン、６０２は、前記集音された音声信号を所定のレベルまで増幅する右チャンネル用増幅器、６０３は前記増幅された信号をデジタル化する右チャンネル用Ａ／Ｄコンバータ、６０５は、前記実施例における超指向性マイクロフォンと同様の特性を持つ超指向性マイクロフォン、６０６は、前記集音された音声信号を所定のレベルまで増幅する超指向性マイク用増幅器、６０７は前記増幅された信号をデジタル化する超指向性マイク用Ａ／Ｄコンバータ、６０９は、前記撮像の方向に対して左半分を中心とする方向からの音を集音する左チャンネルマイクロフォン、６１０は、前記集音された音声信号を所定のレベルまで増幅する左チャンネル用増幅器、６１１は前記増幅された信号をデジタル化する左チャンネル用Ａ／Ｄコンバータ、６０８は、前記超指向性マイク用Ａ／Ｄコンバータ６０７音声信号を、前記メインマイコン１２２から得られる前記超指向性マイクロフォンの向きを示す位置情報を元に、再生時の音声が前記液晶ディスプレイ２０７上の前記マイクアイコン２０８の位置に定位するように音声レベル、位相特性を調整し、右チャンネル用音声、左チャンネル用音声に分割する左右チャンネル分割装置、６０４は、前記左右チャンネル分割装置６０８からの右チャンネル用音声と前記右チャンネル用Ａ／Ｄコンバータ６０３からの右チャンネル用音声を所定の割合でミックスさせる右チャンネルミキサー、６１２は、前記左右チャンネル分割装置６０８からの左チャンネル用音声と前記左チャンネル用Ａ／Ｄコンバータ６１１からの左チャンネル用音声を所定の割合でミックスさせる左チャンネルミキサーである。以上の構成により、再生時に全体のステレオ音場の中に、前記超指向性マイクにてとらえた音声を、前記マイクアイコン２０８の位置と一致させた定位を持つ音声効果が得られる。
【００３５】
さらに、記録時に前記３つのマイクロフォン音声と前記マイク位置情報を前記リムーバブルディスク１１４に記録しておき、再生時に前記６０８左右チャンネル分割装置とミキサー６０４、ミキサー６０５を用いる構成とし、再生時に操作者によって、前記右左チャンネル用マイクロフォンでとらえたステレオ音声と前記超指向性マイクロフォンでとらえた音声のミックス比を可変出来る構成としても良い。
【００３６】
また再生時に、前記記録された位置情報を元に収録時のマイクアイコンを再生画像に重畳して表示するシステムとしても良い。
【実施例３】
【００３７】
次に、本発明をデジタルビデオカメラで応用した第３の実施例について図面を用いて説明する。
【００３８】
本実施例のブロック図は前記実施例１のブロック図の図１と同様であるが、本実施例では前記マイクロフォンが図７に示すように、前記超指向性マイクロフォンが各々所定の角度づつ、ずれた角度で１６本が配置された超指向性マイクロフォンアレイとした構成となっている。この場合のシステム例を図８に示す。８０１は、前記超指向性マイクロフォンアレイ、８０２は、前記マイクロフォンアレイの中から、前記操作者が指定した前記マイクアイコンの座標に最も近い角度を向いた前記超指向性マイクロフォンの音声を選択する音声選択スイッチ、８０３は、前記選択された音声信号を所定のレベルまで増幅する増幅器、８０４は前記増幅された信号をデジタル化するＡ／Ｄコンバータ、８０５は、前記メインマイコン１２２から得られる、前記選択された超指向性マイクロフォンの向きを示す位置情報を元に、再生時の音声が前記液晶ディスプレイ上の前記マイクアイコンの位置に定位するように音声レベル、位相特性を調整し、右チャンネル用音声、左チャンネル用音声に分割する左右チャンネル分割装置である。
【００３９】
以上の構成により、前記マイクアイコンにて選択された超指向性マイクロフォンにて収録された音声は、該選択されたマイクロフォンの位置情報を元に位相／レベル特性が調整された左右チャンネル用の音声に分割されて収録される。これにより、２ｃｈステレオでの再生時に、前記超指向性マイクにてとらえた音声を前記マイクアイコンの位置と一致させた定位を持つ音声効果が得られる。
【００４０】
また再生時に、前記記録された位置情報を元に収録時のマイクアイコンを再生画像に重畳して表示するシステムとしても良い。
【図面の簡単な説明】
【００４１】
【図１】第１および第２および第３の実施例のデジタルビデオカメラのブロック図
【図２】第１および第２および第３の実施例の概要を示す図
【図３】第１の実施例のデジタルビデオカメラのマイクロフォンの構成を示す図
【図４】第１および第２および第３の実施例の概要を示す図
【図５】第２の実施例のデジタルビデオカメラのマイクロフォンの構成を示す図
【図６】第２の実施例のデジタルビデオカメラのマイクロフォンの構成を示すブロック図
【図７】第３の実施例のデジタルビデオカメラのマイクロフォンの構成を示す図
【図８】第３の実施例のデジタルビデオカメラのマイクロフォンの構成を示すブロック図
【符号の説明】
【００４２】
１０１  撮影レンズ
１０２  絞り
１０３  撮像素子
１０４  ＣＤＳ／ＡＧＣ
１０５  デジタル信号処理回路
１０６  フレームメモリ
１０７  画素数調整回路
１０８  画像／音声データバス
１０９  マイク駆動モータ
１１０  マイクロフォン
１１１  増幅器
１１２  Ａ／Ｄコンバータ
１１３  ＭＰＥＧコーデック
１１４  リムーバブルディスク
１１５  ＮＴＳＣエンコーダ
１１６  ビデオ出力端子
１１７  液晶ディスプレイ
１１８  タッチパネル
１１９  液晶ドライバ
１２０  操作キー
１２１  制御信号バス
１２２  メインマイコン
２０１  撮影範囲
２０２  集音範囲
２０３  デジタルビデオカメラ
２０４  被写体
２０５  液晶ディスプレイ
２０７  液晶ディスプレイの詳細を示す図
２０８  マイクアイコン
３０１  超指向性マイク
３０２  ウィンドスクリーン
３０３  水平回転軸
３０４  垂直回転軸
５０１  右チャンネル収録用広指向性マイクロフォン
５０２  左チャンネル収録用広指向性マイクロフォン
６０１  右チャンネルマイクロフォン
６０２  右チャンネル用増幅器
６０３  右チャンネル用Ａ／Ｄコンバータ
６０４  右チャンネルミキサー
６０５  超指向性マイクロフォン
６０６  超指向性マイク用増幅器
６０７  超指向性マイク用Ａ／Ｄコンバータ
６０８  左右チャンネル分割装置
６０９  左チャンネルマイクロフォン
６１０  左チャンネル用増幅器
６１１  左チャンネル用Ａ／Ｄコンバータ
６１２  左チャンネルミキサー
８０１  超指向性マイクロフォンアレイ
８０２  音声選択スイッチ
８０３  増幅器
８０４  Ａ／Ｄコンバータ
８０５  左右チャンネル分割装置
【図１】
2005159731.tif 000003
【図２】
2005159731.tif 000004
【図３】
2005159731.tif 000005
【図４】
2005159731.tif 000006
【図５】
2005159731.tif 000007
【図６】
2005159731.tif 000008
【図７】
2005159731.tif 000009
【図８】
2005159731.tif 000010